(57)【要約】      （修正有）【課題】腋毛の落下を防止するとともに、腋下が見えたり、蒸れたりするのを防ぐ衣服を提供する。【解決手段】調理着１の袖２の内側には、体毛落下防止布３が設けられている。体毛落下防止布３は、円弧状の外側縁部と、円弧状の内側縁部３ａとを有し、これら外側縁部と内側縁部３ａとが両端でつながる略半月形状を呈して、外側縁部の端部を縫い代として肩口側に倒して、袖２の内周面のうち下面に縫い付けられている。この調理着１を着用して袖２に腕を通すと、体毛落下防止布３の内側縁部３ａが上腕の下方に当接し、袖２内において上腕の下方の空間が閉塞される。したがって、着用者の腋毛を抜け落ちてもそれが通過するのを妨ぎ、袖口２ａから外部に落下するのを防ぐことができる。【選択図】図１
0003175091.tif 000002
【実用新案登録請求の範囲】
【請求項１】
袖の内周面に立設され、着用者の上腕に当接するようにして、腋毛の落下を防止する体毛落下防止布を備えたことを特徴とする衣服。
【請求項２】
前記体毛落下防止布は、前記袖の内周面のうち下面に固定される円弧状の外側縁部と、円弧状の前記内側縁部とを有し、前記外側縁部と前記内側縁部とが両端でつながる略半月形状を呈することを特徴とする請求項１に記載の衣服。
【請求項３】
前記体毛落下防止布が袖口側に膨らむように袋状となっていることを特徴とする請求項２に記載の衣服。
【請求項４】
前記内側縁部に沿ってテープ状の布を縫い付けるパイピングが施されていることを特徴とする請求項１乃至３のいずれか１項に記載の衣服。
【考案の詳細な説明】
【技術分野】
【０００１】
本考案は、腋毛の落下を防止するようにした調理着等の衣服に関する。
【背景技術】
【０００２】
厨房着等の調理着においては、体毛の落下を防止することが求められる。特に半袖や五分袖等の調理着では、着用者の腋毛が袖口から外部に落下するおそれがある。
また、半袖や五分袖等の調理着では、袖口から腋下が見えることがあり、不快感を与えかねない。
【先行技術文献】
【特許文献】
【０００３】
【特許文献１】特開２００２−２４９９１７号公報
【考案の概要】
【考案が解決しようとする課題】
【０００４】
腋毛の落下防止や腋下見え防止の対策の一つとして、例えば袖そのものを細くして上腕に密着させたり、袖口を絞ったりすることが考えられるが、上腕に圧迫感を与えたり、腕を動かしにくいと感じたりするおそれがある。また、袖そのものを細くしたり、袖口を絞ったりすると、蒸れやすくなってしまう。さらにいえば、特に男性の調理人が袖口の絞られた調理着を着ることに対して違和感を覚える人も多い。
【０００５】
例えば特許文献１には、袖口の内側に、接着剤のある帯状の布を接着剤が内側に露出するように取り付けることが開示されている。これにより、接着剤が腋毛、腕毛を捕集して、着衣外部への放出を防止する。
しかしながら、特許文献１にあるように接着剤を用いる場合、接着剤が腕に付着して不快感を与えたり、長年の使用により接着剤の接着力（捕集力）が弱まったりする。
【０００６】
本考案は上記のような点に鑑みてなされたものであり、腋毛の落下を防止するとともに、腋下が見えたり、蒸れたりするのを防ぐ衣服を提供することを目的とする。
【課題を解決するための手段】
【０００７】
本考案の衣服は、袖の内周面に立設され、着用者の上腕に当接するようにして、腋毛の落下を防止する体毛落下防止布を備えたことを特徴とする。
また、本考案の衣服の他の特徴とするところは、前記体毛落下防止布は、前記袖の内周面のうち下面に固定される円弧状の外側縁部と、円弧状の前記内側縁部とを有し、前記外側縁部と前記内側縁部とが両端でつながる略半月形状を呈する点にある。
また、本考案の衣服の他の特徴とするところは、前記体毛落下防止布が袖口側に膨らむように袋状となっている点にある。
また、本考案の衣服の他の特徴とするところは、前記内側縁部に沿ってテープ状の布を縫い付けるパイピングが施されている点にある。
【考案の効果】
【０００８】
本考案によれば、腋毛の落下を防止するとともに、腋下が見えたり、蒸れたりするのを防ぐ衣服を提供することができる。
【図面の簡単な説明】
【０００９】
【図１】実施形態に係る調理着を示す図である。
【図２】実施形態に係る体毛落下防止布を示す図である。
【図３】実施形態に係る体毛落下防止布の固定の仕方を説明するための図である。
【図４】袖に腕を通した状態を示す図である。
【図５】他の実施形態に係る体毛落下防止布を示す図である。
【考案を実施するための形態】
【００１０】
以下、添付図面を参照して、本考案の好適な実施形態について説明する。
図１に、本実施形態に係る調理着１を示す。図１（ａ）は本実施形態に係る調理着１の正面図、（ｂ）は上面図、（ｃ）は右側面図、（ｄ）は左側面図である。本実施形態では、本考案を半袖の調理着１に適用した例を説明する。なお、図１では調理着１の外形形状だけを示し、前身頃の合わせ、ポケットや柄等の図示は省略している。
【００１１】
調理着１の袖２の内側には、体毛落下防止布３が設けられている。体毛落下防止布３は、袖２の内周面に立設され、着用者の上腕（上膊）４に当接するようにして、主に腋毛の落下を防止するものである（図４を参照）。
【００１２】
図２に示すように、体毛落下防止布３は、円弧状の外側縁部３ｂと、円弧状の内側縁部３ａとを有し、これら外側縁部３ｂと内側縁部３ａとが両端でつながる略半月形状を呈する。この体毛落下防止布３は、例えば調理着自体と同生地を用いてもよいし、別生地を用いてもよい。また、布帛を用いても、トリコットや丸編み等の編物を用いてもよい。
【００１３】
図３に示すように、体毛落下防止布３は、外側縁部３ｂの端部を縫い代として肩口側に倒して、袖２の内周面のうち下面に縫い付けられている。このように略半月形状の体毛落下防止布３の外側縁部３ｂの全てを袖２の内周面に固定することにより、体毛落下防止布３が立った状態を保つことができる。なお、縫い付けに限らず、熱圧着等により外側縁部３ｂが固定されるようにしてもよい。
【００１４】
また、着用者の上腕４に当接する内側縁部３ａには、テープ状の布５を縫い付けるパイピングが施されている。これにより、内側縁部３ａのほつれを防止することができる。特にテープ状の布５としてニットテープを用いると、上腕４への接触がソフトなものになるとともに、体毛落下防止布３にテンションがかかって張った状態とすることができる。
【００１５】
また、図４に示すように、体毛落下防止布３が袖口２ａ側にやや膨らむようにして浅い袋状としてもよく、これにより腋毛を確実に捕集することができる。
【００１６】
以上のようにした調理着１を着用して袖２に腕を通すと、図４に示すように、体毛落下防止布３の内側縁部３ａが上腕４の下方に当接し、袖２内において上腕４の下方の空間が閉塞される。したがって、着用者の腋毛を抜け落ちてもそれが通過するのを妨ぎ、袖口２ａから外部に落下するのを防ぐことができる。しかも、袖２そのものを細くして上腕４に密着させたり、袖口２ａを絞ったりしないので、腕に圧迫感を与えたり、腕を動かしにくいと感じたりするおそれもない。
【００１７】
また、図１（ｃ）、（ｄ）に示すように、袖口２ａからは体毛落下防止布３に隠れて腋下が見えず、不快感を与えることもない。
【００１８】
また、袖口２ａを絞ることなく開口させたままとすることができるので、蒸れを防ぐことができる。蒸れを防ぐという点からいえば、体毛落下防止布３に通気性に優れたメッシュ素材等を用いてもよい。
【００１９】
なお、本実施形態では、略半月形状を呈する体毛落下防止布３を説明したが、その形状や大きさ等は一例であり、限定されるものではない。例えば図５に示すように円環状の布として、その円状の外側縁部３ｂを袖２の内周面に固定し、円状の内側縁部３ａに腕を通すような形状であってもよい。ただし、上腕への圧迫をなくしたり、腕を動かしやすくしたり、蒸れを防いだりするという点からいえば、上記実施形態のように体毛落下防止布３を略半月形状とし、上腕４の上方の空間は開放させたままとするのが好適である。
【００２０】
以上、本考案を実施形態と共に説明したが、本考案はこれらの実施形態にのみ限定されるものではなく、本考案の範囲内で変更等が可能である。例えば上記実施形態では調理着を説明したが、本発明を適用できる衣服は限られるものではない。
【符号の説明】
【００２１】
１：調理着、２：袖、２ａ：袖口、３：体毛落下防止布、３ａ：内側縁部、３ｂ：外側縁部、４：上腕、５：テープ状の布
【図１】
0003175091.tif 000003
【図２】
0003175091.tif 000004
【図３】
0003175091.tif 000005
【図４】
0003175091.tif 000006
【図５】
0003175091.tif 000007